(57)【特許請求の範囲】
【請求項１】
被検眼の眼底に投与された蛍光剤から発する蛍光を励起するための励起光を被検眼の眼底に照明する照明手段と、
該照明手段の励起光によって照明された被検眼の眼底を撮影する撮影手段と、
前記蛍光の透過率が前記蛍光以外の光の透過率より高い特性を有する第１のフィルタと、
前記蛍光の波長域を含み前記蛍光の波長域よりも広い波長域の光の透過率が前記蛍光の波長域を含み前記蛍光の波長域よりも広い波長域の光以外の光の透過率よりも高い特性を有する第２のフィルタと、
前記第１、第２のフィルタの少なくとも一方を被検眼の眼底から前記撮影手段に至る光路中に配置するフィルタ選択手段と、
被検眼の眼底から前記撮影手段に至る光路中に配置し前記蛍光の透過率が前記蛍光以外の光の透過率よりも高い特性を有する第３のフィルタと、
を有することを特徴とする眼底撮影装置。
【請求項２】
タイマを有し、前記フィルタ選択手段は前記タイマのスタートから予め設定された時間に達したときに前記第１のフィルタから前記第２のフィルタに切換えることを特徴とする請求項１に記載の眼底撮影装置。
【発明の詳細な説明】
【０００１】
【発明の属する技術分野】
本発明は、眼科病院等において被検眼像を撮影記録する眼底撮影装置に関するものである。
【０００２】
【従来の技術】
従来、眼底カメラ等の眼底撮影装置では、被検者に特定波長域の励起光により蛍光を発する蛍光剤を静脈注射し、励起光により被検眼の眼底を照明して得られる蛍光眼底像を撮影する蛍光造影撮影が行われている。そして、蛍光剤としてインドシアニングリーンなどを用いて行われる赤外蛍光撮影においては、不可視光である赤外光を励起光として使用している。
【０００３】
図９は従来例の赤外蛍光撮影可能な眼底カメラの構成図を示し、赤外蛍光撮影では赤外光を利用するために、観察や記録には赤外テレビカメラが使用されている。基台１の被検者側には顔支持部２が取り付けられ、この顔支持部２には固視灯３が装着されている。基台１の上部には、前後左右上下方向に位置調節可能なステージ部４が設けられている。ステージ部４上には、眼底カメラの赤外蛍光用エキサイタフィルタ５を含む光学部材により構成された光学系を有する筐体６と、位置調節レバー７及び撮影スイッチ８から成る操作桿とが載置されている。筐体６には、カラー撮影や可視蛍光撮影時に使用される３５ｍｍフィルムカメラ９、検者が肉眼で観察するための光学ファインダ１０、赤外蛍光記録用バリアフィルタ１１を含むテレビカメラ装着用のリレーレンズユニット１２が固定されている。
【０００４】
光学ファインダ１０には、赤外蛍光観察用バリアフィルタ１３を含むテレビカメラ装着用のリレーレンズユニット１４が設けられ、このリレーレンズユニット１４には、観察用赤外テレビカメラ１５が取り付けられている。そして、観察用赤外テレビカメラ１５の出力は観察画像表示モニタ１６に接続され、またリレーレンズユニット１２には、記録用赤外テレビカメラ１７が取り付けられており、記録用赤外テレビカメラ１７の出力は画像記録手段１８及び記録画像表示モニタ１９に接続されている。
【０００５】
【発明が解決しようとする課題】
しかしながら、上述の従来例の赤外蛍光撮影可能な眼底カメラでは、赤外蛍光観察用と赤外蛍光記録用の光路を独立に設けているために、観察用のリレーレンズユニット１４、赤外テレビカメラ１５、表示モニタ１６と、記録用のリレーレンズユニット１２、赤外テレビカメラ１７、表示モニタ１９を、それぞれ別の光路に設けなければならず、構造が複雑で部品点数が多くなり、装置が大型化しかつ高価になるという問題点がある。
【０００６】
また、光学ファインダ１０にリレーレンズユニット１４を配置しているために、カラー撮影や可視蛍光撮影時に光学ファインダ１０を利用したい場合には、リレーレンズユニット１４を取り外さなければならない。更に、このリレーレンズユニット１４に設けた赤外テレビカメラ１５のケーブルが、眼底カメラを操作する際に邪魔になるなど、装置の操作性が悪くなるという問題点がある。
【０００７】
本発明の目的は、上述の問題点を解消し、小型かつ安価で操作性の良好な眼底撮影装置を提供することにある。
【０００８】
【課題を解決するための手段】
上記目的を達成するための本発明に係る眼底撮影装置は、被検眼の眼底に投与された蛍光剤から発する蛍光を励起するための励起光を被検眼の眼底に照明する照明手段と、該照明手段の励起光によって照明された被検眼の眼底を撮影する撮影手段と、前記蛍光の透過率が前記蛍光以外の光の透過率より高い特性を有する第１のフィルタと、前記蛍光の波長域を含み前記蛍光の波長域よりも広い波長域の光の透過率が前記蛍光の波長域を含み前記蛍光の波長域よりも広い波長域の光以外の光の透過率よりも高い特性を有する第２のフィルタと、前記第１、第２のフィルタの少なくとも一方を被検眼の眼底から前記撮影手段に至る光路中に配置するフィルタ選択手段と、被検眼の眼底から前記撮影手段に至る光路中に配置し前記蛍光の透過率が前記蛍光以外の光の透過率よりも高い特性を有する第３のフィルタと、を有することを特徴とする。
【００１２】
【発明の実施の形態】
本発明を図１〜図８に図示の実施例に基づいて詳細に説明する。
図１は実施例の赤外蛍光撮影可能な赤外カメラを搭載した眼底カメラの構成図を示す。基台２１の被検者側には顔支持部２２が設けられ、この顔支持部２２には固視灯２３が取り付けられている。基台２１の上部には、前後左右上下方向に位置調節可能なステージ部２４が載置され、ステージ部２４上には眼底カメラの光学部２５、位置調節レバー２６及び撮影スイッチ２７から成る操作桿、蛍光剤静脈注射後の時間を計測するタイマ２８ａを作動するタイマスイッチ２８が設けられている。
【００１３】
光学部２５の外側には、カラー撮影や可視蛍光撮影時に使用する３５ｍｍフィルムカメラ２９、検者が肉眼で観察するための光学ファインダ３０、テレビカメラ装着用のリレーレンズユニット３１が設けられている。リレーレンズユニット３１には、赤外蛍光記録用バリアフィルタ３２と赤外蛍光観察用バリアフィルタ３３が光路Ｏ４内に選択的に挿脱可能な構造で設けられ、赤外テレビカメラ３４が取り付けられている。赤外テレビカメラ３４の出力は、動画及び静止画の記録が可能な画像記録手段３５及び画像表示モニタ３６に接続されている。
【００１４】
光学部２５の内部においては、光路Ｏ１上にハロゲンランプ光源３７、ストロボ光源３８、赤外蛍光用エキサイタフィルタ３９、ミラー４０、孔あきミラー４１が順次に配列され、光路Ｏ２上には対物レンズ４２、孔あきミラー４１、光分割部材４３が配列され、３５ｍｍフィルムカメラ２９に至っている。また、光分割部材４３の反射方向の光路Ｏ３上には、切換えミラー４４、ミラー４５が配置され、ミラー４５の反射方向の光路Ｏ４上には、赤外蛍光記録用バリアフィルタ３２又は赤外蛍光観察用バリアフィルタ３３、赤外テレビカメラ３４が配列されており、切換えミラー４４の反射方向には光学ファインダ３０が配置されている。
【００１５】
図２は赤外蛍光用エキサイタフィルタ３９、赤外蛍光記録用バリアフィルタ３２、赤外蛍光観察用バリアフィルタ３３の透過特性をそれぞれＡ、Ｂ、Ｃに示し、縦軸は透過率Ｔ（％）、横軸は波長λ（ｎｍ）である。蛍光剤としてインドシアニングリーンなどを用いて行う赤外蛍光撮影においては、波長透過特性Ａを有する赤外蛍光用エキサイタフィルタ３９により得られる赤外光を励起光として使用する。
【００１６】
そして、インドシアニングリーンとエキサイタフィルタ３９で得られる励起光とによって発生する蛍光を透過し、エキサイタフィルタ３９で得られる励起光を遮光する波長透過特性Ｂを有する赤外蛍光記録用バリアフィルタ３２と、インドシアニングリーンとエキサイタフィルタ３９で得られる励起光とによって発生する蛍光を透過し、フィルタ３９で得られる励起光の一部、即ち図２の斜線部で示す領域の光束を透過する波長透過特性Ｃとを有する赤外蛍光観察用バリアフィルタ３３を使用する。
【００１７】
このような特性のエキサイタフィルタ３９と記録用バリアフィルタ３２を使用した状態では、検者への静脈注射後に蛍光が発するまでは、表示モニタ３６に被検眼Ｅの眼底像Ｅｒ’を映出することができない。検者は蛍光発生後からアライメントやピント合わせなどの撮影準備を始めるが、蛍光が発生した直後の眼底像Ｅｒ’の撮影は不可能である。また、静脈注射から長時間経過すると蛍光が弱くなり、ハロゲンランプ光源３７で照明した眼底像Ｅｒ’は不鮮明で見難くなるので、撮影準備を行う際に支障が生ずる。
【００１８】
このために、励起光による眼底Ｅｒからの反射光の一部、即ち図２の斜線部で示す領域の光束を透過する特性を有する赤外蛍光観察用バリアフィルタ３３を使用して、蛍光を発していない初期状態や蛍光の弱くなる後期状態においても、励起光により眼底像Ｅｒ’を観察することを可能としている。検者はこの観察画像を用いて撮影準備をすることによって、蛍光発生直後の眼底像Ｅｒ’や蛍光が弱くなったときの眼底像Ｅｒ’でも、確実に撮影できるようにされている。
【００１９】
上述の構成において、被検者に蛍光剤を静脈注射して眼底Ｅｒの赤外蛍光造影撮影を行う。蛍光剤の静脈注射後の蛍光強度の時間変化は、静脈注射直後の初期状態に最も強い蛍光が発生し、蛍光の強度の変化量も大きく、そして時間の経過と共に蛍光は徐々に弱まってゆく。このように、静脈注射後の初期像は強い蛍光が発生するために、ストロボ光源３８によって静止画像を記録することも、ハロゲンランプ光源３７によって動画を記録することも可能であるが、蛍光が弱まる後期像はハロゲンランプ光源３７では光量不足となって動画記録が困難となるために、ストロボ光源３８によって照明して静止画像として記録するのが一般的である。
【００２０】
図３は赤外蛍光造影撮影のフローチャート図を示し、撮影準備として被検眼Ｅと眼底カメラの光学部２５との間のラフアライメントを行う。被検者を着座させ、被検眼Ｅと対物レンズ４２が対向するように被検者の顔を顔支持部２２に固定する。そして、位置調節レバー２６によりステージ部２４を移動し、光路Ｏ２が概略被検眼Ｅに合うように粗調節を行う。このとき、光路Ｏ１には赤外蛍光用エキサイタフィルタ３９が挿入されており、光路Ｏ３の切換えミラー４４は破線で示す位置にあり、光路Ｏ４には赤外蛍光記録用バリアフィルタ３２に代えて赤外蛍光観察用バリアフィルタ３３が挿入されている。
【００２１】
ハロゲンランプ光源３７からの光束は、エキサイタフィルタ３９、ミラー４０を通って孔あきミラー４１で反射され、対物レンズ４２を介して被検眼Ｅの眼底Ｅｒを照明する。眼底反射光は対物レンズ４２、孔あきミラー４１の孔部を通り、光分割部材４３、ミラー４５に反射され図２の斜線部で示す領域の光束が赤外テレビカメラ３４に達し、画像表示モニタ３６上に眼底像Ｅｒ' が出力される。
【００２２】
検者はこの画像表示モニタ３６上に表示された眼底像Ｅｒ' を見ながら、アライメントやピント合わせなどの撮影準備を行う。撮影準備が終ると患者に蛍光剤を静脈注射し、タイマスイッチ２８によりタイマ２８ａをスタートし、制御手段により光路Ｏ４上の赤外蛍光観察用バリアフィルタ３３を赤外蛍光記録用バリアフィルタ３２に切換えて、画像記録手段３５により動画とタイマ情報の記録を開始する。
【００２３】
間もなくして、被検眼Ｅの眼底Ｅに蛍光が発し、画像表示モニタ３６上に蛍光眼底像Ｅｒ' が映出される。検者はピントを微調整して、蛍光の強度変化に応じてハロゲンランプ光源３７の光量を調節する。静止画を記録する場合には、検者が撮影スイッチ２７を押すと、制御手段によりハロゲンランプ光源３７が減光してストロボ光源３８が発光し、上述の観察光と同様にして、画像記録手段３５に蛍光眼底像Ｅｒ' の静止画とタイマ情報が記録される。
【００２４】
図４はフィルタ駆動装置の構成図を示し、円弧部分に歯車を有する扇形プレート４６が、回転軸Ｃを中心に回転可能に保持されている。扇形プレート４６上には、赤外蛍光記録用バリアフィルタ３２と赤外蛍光観察用バリアフィルタ３３が取り付けられている。扇形プレート４６の歯車部には、駆動用モータ４７に取り付けられたピニオン歯車４８が噛合されている。また、バリアフィルタ３２、３３の位置決めのために扇形プレート４６の両側に２個のマイクロスイッチ４９が設けられている。このような機構により、駆動用モータ４７の回転方向を変更して、バリアフィルタ３２、３３を切換えることが可能となる。
【００２５】
上述したように、静脈注射後に時間が経過して蛍光が弱まると、画像表示モニタ３６上に映出されている眼底像Ｅｒ’は不鮮明となり、検者は所望の観察部位を選定し難くなる。従って、この蛍光が弱くなる時間を予め設定しておいて、タイマ２８ａがこの設定時間に達すると、制御手段によって光路Ｏ４の記録用バリアフィルタ３２を観察用バリアフィルタ３３に切換えて、画像記録手段３５の動画記録を停止する。これによって、蛍光だけでなく図２の斜線部で示す領域の光束が赤外テレビカメラ３４に達するために、観察部位を選定し易い眼底像Ｅｒ’が画像表示モニタ３６上に映出される。
【００２６】
検者はこの眼底像Ｅｒ’を用いて所望の撮影部位を選定し、撮影スイッチ２７を押す。このとき、制御手段によって光路Ｏ４の赤外蛍光観察用バリアフィルタ３３が赤外蛍光記録用バリアフィルタ３２に切換わり、ハロゲンランプ光源３７が減光してストロボ光源３８が発光し、画像記録手段３５に蛍光眼底像Ｅｒ’の静止画とタイマ情報が記録される。なお、フィルタ３２、３３の切換えをタイマ２８ａと撮影スイッチ２７で行うようにしているが、これらの切換えを選択的に行うためのフィルタ切換用の専用スイッチを設けてもよい。
【００２７】
図５は第２の実施例の眼底カメラの構成図を示し、第１の実施例においては、赤外蛍光観察用バリアフィルタ３２と赤外蛍光記録用バリアフィルタ３３を切り換えたが、本実施例においては、図６に示すような波長透過特性Ｄを有する分光透過特性を有する赤外蛍光観察用エキサイタフィルタ５０を使用し、赤外蛍光記録用エキサイタフィルタ３９と切換えて眼底撮影を行うようになっている。
【００２８】
図７は赤外蛍光造影撮影のフローチャート図を示し、第１の実施例と同様に、観察時には赤外蛍光観察用エキサイタフィルタ５０を光路に挿入し、蛍光像記録時には赤外蛍光記録用エキサイタフィルタ３９に切換える。
【００２９】
また、観察用エキサイタフィルタ５０を光路から離脱してから記録用エキサイタフィルタ３９を挿入するのではなく、観察用エキサイタフィルタ５０に重ねて記録用エキサイタフィルタ３９を挿入してもよい。記録用エキサイタフィルタ３９をこのように重ねることによって、観察時に使用する図６の斜線部の光束を遮断することができる。この場合には、記録用エキサイタフィルタ５０を追加することによって光路長が変化するために、撮影性能への影響が少ない照明光学系を用いてフィルタを挿脱する場合に好適である。
【００３０】
また、特に赤外蛍光観察用エキサイタフィルタ５０をハロゲンランプ光源３７とストロボ光源３８の間に配置して、ストロボ光源３８を用いた撮影時に、記録用エキサイタフィルタ３９を光路に挿入するようにすれば、観察用エキサイタフィルタ５０による撮影光量の損失がなくなるために、光エネルギを有効に利用することができる。
【００３１】
図８は２段スイッチを備えた操作桿の断面図を示し、撮影スイッチ２７の代りに、押圧操作によって２回の検出が可能な２段スイッチとされている。位置調節レバー２６の上部に、１段目のスイッチ５５及び２段目のスイッチ５６が設けられて、操作桿が形成されている。１段目のスイッチ５５が押されると、光路Ｏ４に観察用バリアフィルタ３３が挿入され、それ以外の場合は記録用バリアフィルタ３２が光路Ｏ４に挿入される。
【００３２】
このような構成において、検者は図２の斜線部で示す領域の光束と、赤外テレビカメラ３４で得られる画像表示モニタ３６上に出力された眼底像Ｅｒ’とを用いて、アライメントやピント合わせなどの撮影準備を行う。このときには、光路Ｏ４に観察用バリアフィルタ３３が挿入されるように、検者は１段目のスイッチ５５だけを押している。撮影準備が終ると患者に蛍光剤を静脈注射し、タイマスイッチ２８によりタイマをスタートさせる。ここで、検者はスイッチ５５の押圧を解除すると、制御手段により光路Ｏ４に記録用バリアフィルタ３２が挿入され、画像記録手段３５において動画とタイマ情報の記録が開始される。そして、間もなくして蛍光が発生するとし、画像表示モニタ３６上に被検眼Ｅの蛍光眼底像Ｅｒ’が映出される。その後は上述と同様の手順で動画の記録を行う。
【００３３】
また、静止画を記録する場合には、検者が１段目のスイッチ５５と２段目のスイッチ５６の両方を押すと、図示しない制御手段によりハロゲンランプ光源３７が減光してストロボ光源３８が発光し、画像記録手段３５に蛍光眼底像Ｅｒ’の静止画とタイマ情報が記録される。このとき、スイッチ５５が押されてからスイッチ５６が押されるまでの時間Ｔを計測して、時間Ｔが予め設定された値ｔよりも短いＴ＜ｔｎｏ場合には、光路Ｏ４に観察用バリアフィルタ３３は挿入されず、記録用バリアフィルタ３２が挿入されるようになっている。即ち、記録用バリアフィルタ３２で動画記録中に静止画を撮影したい場合などは、Ｔ＜ｔの期間でスイッチ５５とスイッチ５６の両方を押せば、記録用バリアフィルタ３２は光路Ｏ４に挿入したままとなる。このようにして、記録用バリアフィルタ３２と観察用バリアフィルタ３３を選択する時間間隔を制限しているので、不必要なフィルタの切換えを回避して作業効率を向上することができる。
【００３４】
また、静脈注射後に時間が経過して蛍光が弱まったときには、光路Ｏ４に観察用バリアフィルタ３３が挿入されるように，検者は１段目のスイッチ５５だけを押す。これにより、蛍光だけではなく図２の斜線部で示す領域の光束が赤外テレビカメラ３４に達するので、所望の観察部位を選定し易い眼底像Ｅｒ’が画像表示モニタ３６上に映出される。静止画を記録する場合には、上述と同様に検者はスイッチ５５とスイッチ５６の両方を押せばよい。
【００３５】
【発明の効果】
以上説明したように本発明に係る眼底撮影装置は、記録用と観察用の赤外テレビカメラと表示モニタを共用することができ、記録用光路と観察用光路を独立に設ける場合に比べて構造が単純で部品点数も少なくすることができ、小型化かつ安価に達成することが可能となる。また、光学式ファインダにリレーレンズユニットを装着せずに済むので、カラー撮影や可視蛍光撮影時には、リレーレンズの脱着の手間を掛けずに光学式ファインダを利用することができ、赤外テレビカメラの接続に伴うケーブルを減らすことができ、操作性を向上することができる。
【図面の簡単な説明】
【図１】第１の実施例の眼底カメラの側面図である。
【図２】フィルタ特性のグラフ図である。
【図３】フローチャート図である。
【図４】フィルタ駆動手段の構成図である。
【図５】第２の実施例の側面図である。
【図６】フィルタ特性のグラフ図である。
【図７】フローチャート図である。
【図８】２段スイッチの側面図である。
【図９】従来例の眼底カメラの側面図である。
【符号の説明】
２１  基台
２２  顔支持部
２３  固視灯
２４  ステージ部
２５  光学部
２６  位置調節レバー
２７  撮影スイッチ
２８  タイマスイッチ
２９  フィルムカメラ
３０  光学ファインダ
３１  リレーレンズユニット
３２、３３  バリアフィルタ
３４  赤外テレビカメラ
３５  画像記録手段
３６  画像表示モニタ
３７  ハロゲンランプ光源
３８  ストロボ光源
３９、５０  エキサイタフィルタ
４６  扇形プレート
４７  駆動用モータ
４８  ピニオン歯車
４９  マイクロスイッチ
５５、５６  スイッチ
【図１】
0004355413.tif 000002
【図２】
0004355413.tif 000003
【図３】
0004355413.tif 000004
【図４】
0004355413.tif 000005
【図５】
0004355413.tif 000006
【図６】
0004355413.tif 000007
【図７】
0004355413.tif 000008
【図８】
0004355413.tif 000009
【図９】
0004355413.tif 000010